(57)【要約】【課題】ＭＩＬ規格（ＭＩＬ−ＳＴＤ−１８８−１２５）に適合させることができ、しかも、構造が簡単なノイズフィルタ装置を提供する。【解決手段】ノイズフィルタ装置１０は、金属製の筐体１２で囲われたノイズフィルタ部１４と、ノイズフィルタ部１４の入力側に接続された大電流パルス対応ユニット１６とを有し、大電流パルス対応ユニット１６は、高周波減衰用のバリスタ３０ａ、３０ｂを有し、バリスタ３０ａ、３０ｂが貫通型バリスタ４０であり、貫通型バリスタ４０の少なくとも一方の端面が電極面であり、電極面が筐体１２に接触している。【選択図】図１
2020127252.tif 000002
【特許請求の範囲】
【請求項１】
金属製の筐体で囲われたノイズフィルタ部と、
前記ノイズフィルタ部の入力側に接続された大電流パルス対応ユニットとを有し、
前記大電流パルス対応ユニットは高周波減衰用のバリスタを有し、
前記バリスタが貫通型バリスタであり、
前記貫通型バリスタの少なくとも一方の端面が電極面であり、
前記電極面が前記筐体に接触している、ノイズフィルタ装置。
【請求項２】
請求項１記載のノイズフィルタ装置において、
前記大電流パルス対応ユニットは、前記バリスタのほか、低周波減衰用のコンデンサと、バリスタ動作用のチョークコイルとを有する、ノイズフィルタ装置。
【請求項３】
請求項１又は２記載のノイズフィルタ装置において、
前記貫通型バリスタは、
バリスタ本体と、
前記バリスタ本体の中央に形成された貫通孔と、
前記バリスタ本体の一方の端面に形成された第１電極と、
前記バリスタ本体の他方の端面に形成された第２電極と、を有する、ノイズフィルタ装置。
【請求項４】
請求項３記載のノイズフィルタ装置において、
前記貫通型バリスタの前記筐体への実装構造は、
前記貫通孔内に挿通された絶縁チューブと、
前記絶縁チューブ内に挿通され、且つ、前記第１電極の端面を前記筐体に固定し、前記第２電極の端面を金属板に固定する締結部材と、を有する、ノイズフィルタ装置。
【請求項５】
請求項１〜４のいずれか１項に記載のノイズフィルタ装置において、
前記大電流パルス対応ユニットは、少なくとも１０ＭＨｚ〜１ＧＨｚの信号の減衰量が−８０ｄＢ以下である、ノイズフィルタ装置。
【請求項６】
請求項１〜５のいずれか１項に記載のノイズフィルタ装置において、
ＭＩＬ試験に規定される大電流パルス印加時に、前記ノイズフィルタ部の出力側に終端抵抗を接続したとき、前記終端抵抗に流れる電流は、周期が０μｓｅｃより大きく３００μｓｅｃ以下の範囲において、ピーク電流値が１０Ａ未満である、ノイズフィルタ装置。
【発明の詳細な説明】
【技術分野】
【０００１】
本発明は、ノイズフィルタ装置に関し、例えば大電流パルス対策に有効なノイズフィルタ装置に関する。
【背景技術】
【０００２】
特許文献１記載のノイズフィルタは、立ち上がり時間が遅いノイズが印加された場合には、ノイズを素早く接地部に放出するためＦＧパターンを低インピーダンスにして当該ノイズに対応したノイズ耐量が最も高くなり、異なる種類のノイズに対してノイズ耐量を向上させることを課題としている。
【０００３】
当該課題を解決するため、特許文献１記載のノイズフィルタは、ノイズを逃がす経路を有する装置に適用されるノイズフィルタであって、基板に形成されたフレームグランドパターン上に配設される抵抗素子と、抵抗素子に並列に接続され、非導通時の抵抗値が抵抗素子の抵抗値より高く、且つ、導通時の抵抗値が抵抗素子の抵抗値より低い特性を有するバリスタとを備えている。
【先行技術文献】
【特許文献】
【０００４】
【特許文献１】特開２０１０−２３２８４９号公報
【発明の概要】
【発明が解決しようとする課題】
【０００５】
ところで、大電流パルスに対し、高い減衰特性が要求されているＭＩＬ規格（ＭＩＬ−ＳＴＤ−１８８−１２５）がある。このＭＩＬ規格に適合させるためには、ＬＣフィルタ回路前段に避雷器（主にバリスタ）を接続し、大電流パルスを減衰させる。バリスタは２つの端子があり、片方をライン（電源線接続端子）へ金属ブスバーや電線等で配線し、もう片側はグランド（筐体）へ同様な配線をする。バリスタは、容量成分を持っているため、フィルタの減衰特性を上げることができる（数ｎＦ〜）。また、バリスタは、抵抗成分を持っているため、大電流パルス動作時に発熱がある（０．５〜数オーム）。
【０００６】
汎用ノイズフィルタに、大電流パルス減衰効果を持たせるには、入力にバリスタを接続し、且つ、バリスタの持つ高電圧・大電流の減衰機能を動作させるために、バリスタの後段にチョークコイルを接続することが考えられる。
【０００７】
また、ノイズフィルタを上述したＭＩＬ規格に適合させるためには、以下のような課題が挙げられる。
【０００８】
（１）バリスタの容量成分は減衰特性に影響するが、配線のリード線の影響で直列共振を発生させる。そのため、この容量成分は、高い周波数の減衰には効果が少ない。
【０００９】
（２）バリスタの持つ抵抗成分で、大電流パルス通電時に自己発熱が発生するが、市販のバリスタは、一般的に、プラスチック製のケースに収容され、放熱が効率よくできず、破壊や寿命に影響する。
【００１０】
（３）汎用ノイズフィルタの前段にバリスタを追加しても、バリスタの動作前にバリスタ後段にあるノイズフィルタのコンデンサに電流が流れ、コンデンサを破壊するおそれがある。そもそも汎用ノイズフィルタは、低周波から高周波減衰を必要とする上述のＭＩＬ規格に適合できる特性を有していない。
【００１１】
（４）市販のシールドルーム用フィルタは、上記ＭＩＬ規格の減衰特性を有しているものはあるが、大電流パルスに対する減衰機能は有していない。
【００１２】
本発明はこのような課題を考慮してなされたものであり、上記ＭＩＬ規格に適合させることができ、しかも、構造が簡単なノイズフィルタ装置を提供することを目的とする。
【課題を解決するための手段】
【００１３】
本発明の一態様は、金属製の筐体で囲われたノイズフィルタ部と、
前記ノイズフィルタ部の入力側に接続された大電流パルス対応ユニットとを有し、
前記大電流パルス対応ユニットは高周波減衰用のバリスタを有し、
前記バリスタが貫通型バリスタであり、
前記貫通型バリスタの少なくとも一方の端面が電極面であり、
前記電極面が前記筐体に接触している。
【発明の効果】
【００１４】
本発明に係るノイズフィルタ装置によれば、ＭＩＬ規格（ＭＩＬ−ＳＴＤ−１８８−１２５）に適合させることができ、しかも、構造を簡単にすることができる。
【図面の簡単な説明】
【００１５】
【図１】本実施形態に係るノイズフィルタ装置を示す構成図である。
【図２】本実施形態に係るノイズフィルタ装置の構成を示す回路図である。
【図３】筐体に実装された貫通型バリスタの一例を示す断面図である。
【図４】第１比較例に係るノイズフィルタ装置を一部省略して示す構成図である。
【図５】実施例と第１比較例の減衰特性を示すグラフである。
【図６】実施例と第２比較例の減衰特性を示すグラフである。
【図７】実施例と第２比較例において、出力側の終端抵抗の通電電流波形を示すグラフである。
【発明を実施するための形態】
【００１６】
以下、本発明に係るノイズフィルタ装置の実施形態例を図１〜図７を参照しながら説明する。
【００１７】
本実施形態に係るノイズフィルタ装置１０は、図１及び図２に示すように、金属製の筐体１２（図１参照）で囲われたノイズフィルタ部１４と、ノイズフィルタ部１４の入力側に接続された大電流パルス対応ユニット１６とを有する。
【００１８】
筐体１２は、例えば図１に示すように、箱状に構成され、入力側から出力側に向かって４つの金属製の仕切板（第１仕切板２０ａ〜第４仕切板２０ｄ）が設けられている。そして、入力側から第２仕切板２０ｂにかけて大電流パルス対応ユニット１６が配置され、第２仕切板２０ｂから第４仕切板２０ｄにかけてノイズフィルタ部１４が配置されている。
【００１９】
ノイズフィルタ部１４は、図２に示すように、例えば２つのコモンモードチョークコイル（第１コモンモードチョークコイル２２ａ及び第２コモンモードチョークコイル２２ｂ）を有する単相２段方式のノイズフィルタである。
【００２０】
第１コモンモードチョークコイル２２ａの入力側には、ライン間に接続された第１Ｘコンデンサ２４ａと、ラインと接地間に接続された第１Ｙコンデンサ（２６ａ，２６ｂ）を有する。第２コモンモードチョークコイル２２ｂの入力側には、ライン間に接続された第２Ｘコンデンサ２４ｂと、ラインと接地間に接続された第２Ｙコンデンサ（２６ｃ，２６ｄ）を有する。
【００２１】
ノイズフィルタ部１４の筐体１２への実装形態は、例えば図１に示すように、第２仕切板２０ｂから第３仕切板２０ｃにかけて、１段目のノイズフィルタ、すなわち、第１コモンモードチョークコイル２２ａ、第１Ｘコンデンサ２４ａ及び第１Ｙコンデンサ（２６ａ，２６ｂ）が実装されている。第２仕切板２０ｂには、大電流パルス対応ユニット１６と繋がる部分に例えば第１絶縁ブッシュ２８ａ及び第２絶縁ブッシュ２８ｂが実装されている。なお、接地に対する配線等は記載を省略した。以下同様である。
【００２２】
同様に、第３仕切板２０ｃから第４仕切板２０ｄにかけて、２段目のノイズフィルタ、すなわち、第２コモンモードチョークコイル２２ｂ、第２Ｘコンデンサ２４ｂ及び第２Ｙコンデンサ（２６ｃ，２６ｄ）が実装されている。第３仕切板２０ｃには、１段目のノイズフィルタと繋がる部分に例えば第３絶縁ブッシュ２８ｃ及び第４絶縁ブッシュ２８ｄが実装されている。第４仕切板２０ｄには、出力側と繋がる部分に例えば第５絶縁ブッシュ２８ｅ及び第６絶縁ブッシュ２８ｆが実装されている。
【００２３】
一方、大電流パルス対応ユニット１６は、図２に示すように、２つのラインに対応して、高周波減衰用の第１バリスタ３０ａ及び第２バリスタ３０ｂと、バリスタ動作用の第１チョークコイル３２ａ及び第２チョークコイル３２ｂと、低周波減衰用の第１コンデンサ３４ａ及び第２コンデンサ３４ｂと、を有する。
【００２４】
大電流パルス対応ユニット１６の筐体１２への実装形態は、例えば図１に示すように、第１仕切板２０ａの入力側に第１バリスタ３０ａ及び第２バリスタ３０ｂが実装され、第１仕切板２０ａから第２仕切板２０ｂにかけて、第１バリスタ３０ａに対応して、第１チョークコイル３２ａと第１コンデンサ３４ａが実装され、第２バリスタ３０ｂに対応して、第２チョークコイル３２ｂと第２コンデンサ３４ｂが実装されている。
【００２５】
第１バリスタ３０ａ及び第２バリスタ３０ｂは、図３に示すように、それぞれ貫通型バリスタ４０の構造を有する。
【００２６】
貫通型バリスタ４０は、半導体セラミックス等で構成された円錐台状のバリスタ本体４２と、該バリスタ本体４２の中央に形成された貫通孔４４と、バリスタ本体４２の一方の端面４２ａに形成された第１電極４６ａと、バリスタ本体４２の他方の端面４２ｂに形成された第２電極４６ｂとを有する。
【００２７】
貫通型バリスタ４０の筐体１２（図１参照）への実装形態としては、例えば以下の形態を採用することができる。例えば貫通型バリスタ４０の貫通孔４４に絶縁チューブ５０を挿通し、この状態で、貫通型バリスタ４０の第１電極４６ａの端面（第１電極面５２ａ）を第１仕切板２０ａ（金属製）に接触させる。次いで、例えば第１仕切板２０ａの出力側から絶縁チューブ５０内に締結部材６０（例えばボルト６２）を挿通する。貫通型バリスタ４０の第２電極４６ｂの端面（第２電極面５２ｂ）の中央から外方に突出するボルト６２の端部に、中央に貫通孔を有する金属板６４を挿通して、金属板６４を貫通型バリスタ４０の第２電極面５２ｂに接触させる。その後、円筒状の絶縁リング６６をボルト６２の端部に挿通し、さらに、ボルト６２の端部に締結部材６０（例えばナット６８）をねじ込むことで、貫通型バリスタ４０を筐体１２の第１仕切板２０ａに固定することができる。このとき、一方の電源接続端子７０ａ（例えば圧着端子）を、絶縁リング６６とボルト６２の頭部とで挟み込み、他方の電源接続端子７０ｂ（例えば圧着端子）を、金属板６４の端面にナット６８で締め付ける等によって、一方の電源接続端子７０ａと他方の電源接続端子７０ｂとを電気的に接続する。
【００２８】
次に、実施例と第１比較例との特性の違いについて図４〜図７を参照しながら説明する。
【００２９】
［実施例］
実施例に係るノイズフィルタ装置は、上述したノイズフィルタ装置１０と同様の構成を有する。
【００３０】
［第１比較例］
図４に示すように、第１比較例に係るノイズフィルタ装置１００は、上述したノイズフィルタ装置１０と異なり、以下の構成を有する。
【００３１】
すなわち、第１比較例に係るノイズフィルタ装置１００は、第１仕切板２０ａから第４仕切板２０ｄにかける部分の実装形態は実施例と同じであるが、第１仕切板２０ａの入力側に実装されるバリスタ１０２の実装形態が異なる。
【００３２】
すなわち、第１比較例は、バリスタ１０２として、貫通型バリスタ４０ではなく、プラスチック製のケース１０４に収容されたバリスタ（以下、通常バリスタ１０６と記す）を使用し、第１仕切板２０ａのうち、第１チョークコイル３２ａ及び第２チョークコイル３２ｂと繋がる部分に例えば第７絶縁ブッシュ２８ｇ及び第８絶縁ブッシュ２８ｈを実装している点で、実施例と異なる。
【００３３】
＜評価＞
実施例と第１比較例について、減衰特性を確認した。その結果を図５に示す。なお、図５中、横軸の周波数は対数目盛である。図５において、ＭＩＬ規格（ＭＩＬ−ＳＴＤ−１８８−１２５）で規定される境界を実線Ｌｓで示す。実施例の減衰特性を点線Ｌａで示し、第１比較例の減衰特性を曲線Ｌｂ１で示す。
【００３４】
通常バリスタ１０６を使用した第１比較例は、周波数が７ＭＨｚ以上の電流パルスに対する減衰特性が規格Ｌｓから外れ、低下している。
【００３５】
これに対して、実施例は、１ｋＨｚ〜１ＧＨｚにわたって、電流パルスに対する減衰特性が規格Ｌｓ内であり、減衰特性が良好であることがわかる。
【００３６】
次に、実施例と第２比較例との特性の違いについて図６及び図７を参照しながら説明する。
【００３７】
［第２比較例］
第２比較例に係るノイズフィルタ装置は、上述したノイズフィルタ装置１０と異なり、大電流パルス対応ユニット１６が存在しない点で異なる。
【００３８】
＜評価１＞
実施例と第２比較例について、減衰特性を確認した。その結果を図６に示す。なお、図６中、横軸の周波数は対数目盛である。図６において、ＭＩＬ規格（ＭＩＬ−ＳＴＤ−１８８−１２５）で規定される境界を実線Ｌｓで示す。実施例の減衰特性を点線Ｌａで示し、第２比較例の減衰特性を曲線Ｌｂ２で示す。
【００３９】
大電流パルス対応ユニット１６が存在しない第２比較例は、周波数が３ｋＨｚ以上の電流パルスに対する減衰特性が規格Ｌｓから外れ、低下している。
【００４０】
これに対して、実施例は、１ｋＨｚ〜１ＧＨｚにわたって、電流パルスに対する減衰特性が規格Ｌｓ内であり、減衰特性が良好であることがわかる。
【００４１】
＜評価２＞
実施例と第２比較例について、それぞれノイズフィルタ部１４の出力側に終端抵抗を接続した。そして、入力側からピーク値が５０００Ａの電流（入力印加電流）を供給し、供給開始時点から３００μｓｅｃ（図７において「μｓ」と記す）に亘って終端抵抗に流れる通電電流波形を計測した。計測結果を図７に示す。
【００４２】
図７において、１０Ａに対応して引かれた横線Ｌ１０Ａは、ＭＩＬ規格（ＭＩＬ−ＳＴＤ−１８８−１２５）で規定された境界を示す。実施例の通電電流波形を点線Ｌａで示し、第２比較例の通電電流波形を曲線Ｌｂ２で示す。
【００４３】
大電流パルス対応ユニット１６が存在しない第２比較例は、通電開始後、すぐに９０Ａを超えるピーク電流が流れることがわかった。これに対して、実施例は、通電開始時点から３００μｓｅｃにわたって、通電電流が規格Ｌ１０Ａ内であり、減衰特性が良好であることがわかる。
【００４４】
［実施形態から得られる技術的思想］
上記実施形態及び実施例から把握しうる技術的思想について、以下に記載する。
【００４５】
［１］  本実施形態に係るノイズフィルタ装置１０は、金属製の筐体１２で囲われたノイズフィルタ部１４と、ノイズフィルタ部１４の入力側に接続された大電流パルス対応ユニット１６とを有し、大電流パルス対応ユニット１６は高周波減衰用の第１バリスタ３０ａ及び第２バリスタ３０ｂを有し、第１バリスタ３０ａ及び第２バリスタ３０ｂがそれぞれ貫通型バリスタ４０であり、貫通型バリスタ４０の少なくとも一方の端面が第１電極面５２ａであり、第１電極面５２ａが筐体１２に接触している。
【００４６】
シールドルーム用フィルタ等のノイズフィルタにおいて、高周波の大電流（サージ電流）によるノイズを抑制するためには、ノイズフィルタの入力側にバリスタを接続することが考えられる。
【００４７】
この場合、バリスタとノイズフィルタの入力側との間に絶縁ブッシュを介在させ、さらに、ノイズフィルタの入力側と絶縁ブッシュとの間、絶縁ブッシュとバリスタとの間にそれぞれ配線ケーブルを接続する必要がある。そのため、インダクタンス成分が大きくなるという問題がある。
【００４８】
また、バリスタは、プラスチック製のケース１０４に覆われているため、放熱しにくいという問題がある。すなわち、大電流パルス通電時に発生するバリスタ素子が持つ抵抗成分による自己発熱を放熱させることが難しいため、例えば波尾長の長い大電流パルスに対応できない。
【００４９】
そこで、ノイズフィルタ部１４の入力側に高周波減衰用の第１バリスタ３０ａ及び第２バリスタ３０ｂを接続し、これら第１バリスタ３０ａ及び第２バリスタ３０ｂをそれぞれ貫通型バリスタ４０とする。これにより、以下の効果を奏することができる。
【００５０】
（ａ）  貫通型バリスタ４０の両側に形成された電極面のうち、一方の電極面（第２電極面５２ｂ）を、直接入力側（例えば電源接続端子７０ｂ）に接続し、他方の電極面（第１電極面５２ａ）をノイズフィルタ部１４の筐体１２（金属製）に接触させることで、配線のリード線を少なくし、インダクタンス成分を低減することで高周波減衰特性を向上させることができる。
【００５１】
（ｂ）  貫通型バリスタ４０は、素子自体が持つ抵抗成分によって、大電流パルスの通電時に、自己発熱が生じることになる。しかし、（ａ）で述べたように、一方の電極面（第２電極面５２ｂ）を、直接入力側（例えば電源接続端子７０ｂ）に接続し、他方の電極面（第１電極面５２ａ）をノイズフィルタ部１４の筐体１２に接続することができるため、上述の自己発熱を、電極面を通じて効率よく放熱させることができる。すなわち、貫通型バリスタ４０の電極面が広く筐体１２等の金属面に接触しているため、熱伝導がよくなる。その結果、従来実現困難であった波尾長の長い大電流パルスにも対応が可能となる。
【００５２】
（ｃ）  貫通型バリスタ４０は、絶縁ブッシュとしての機能も持たせることができるため、絶縁ブッシュの設置を省略することができ、部品点数の低減を図ることができる。
【００５３】
［２］  本実施形態において、大電流パルス対応ユニット１６は、第１バリスタ３０ａ及び第２バリスタ３０ｂのほか、低周波減衰用の第１コンデンサ３４ａ及び第２コンデンサ３４ｂと、バリスタ動作用の第１チョークコイル３２ａ及び第２チョークコイル３２ｂとを有することが好ましい。
【００５４】
これにより、低周波減衰用の第１コンデンサ３４ａ及び第２コンデンサ３４ｂに加えて、第１バリスタ３０ａ及び第２バリスタ３０ｂのパルス減衰機能を、いち早く動作させるための第１チョークコイル３２ａ及び第２チョークコイル３２ｂを備えることで、３つの素子のユニット化を実現することができる。そして、このユニットをノイズフィルタ部１４と組み合わせることで、ＭＩＬ規格に適合したノイズフィルタ装置１０を実現させることができる。ノイズフィルタ部１４としては、市販のシールドルーム用フィルタであっても構わない。
【００５５】
［３］  本実施形態において、貫通型バリスタ４０は、バリスタ本体４２と、バリスタ本体４２の中央に形成された貫通孔４４と、バリスタ本体４２の一方の端面４２ａに形成された第１電極４６ａと、バリスタ本体４２の他方の端面４２ｂに形成された第２電極４６ｂと、を有することが好ましい。
【００５６】
貫通型バリスタ４０の第１電極４６ａ及び第２電極４６ｂのいずれか一方に、直接入力側（例えば電源接続端子７０ａ、７０ｂのいずれか一方）を接続し、第１電極４６ａ及び第２電極４６ｂのいずれか他方に、ノイズフィルタ部１４の筐体１２（金属製）を接触させることで、電気配線（リード線）を少なくし、インダクタンス成分を低減することで高周波減衰特性を向上させることができる。
【００５７】
［４］  本実施形態において、貫通型バリスタ４０の筐体１２への実装構造は、貫通孔４４内に挿通された絶縁チューブ５０と、絶縁チューブ５０内に挿通され、且つ、第１電極４６ａの端面５２ａを筐体１２に固定し、第２電極４６ｂの端面５２ｂを金属板６４に固定する締結部材６０と、を有することが好ましい。
【００５８】
貫通型バリスタ４０の貫通孔４４に絶縁チューブ５０を挿通し、この状態で、貫通型バリスタ４０の第１電極４６ａの端面（第１電極面５２ａ）をノイズフィルタ部１４の筐体１２（金属製）に接触させ、第２電極４６ｂの端面（第２電極面５２ｂ）に金属板６４を接触させる。そして、例えば筐体１２側から絶縁チューブ５０内に締結部材６０（例えばボルト６２）を挿通し、締結部材６０（例えばナット６８）をねじ込むことで、貫通型バリスタ４０を筐体１２に固定することができる。このとき、貫通型バリスタ４０は、第１電極面５２ａが筐体１２に接触し、第２電極面５２ｂが金属板６４に接触した状態で筐体１２に固定される。金属板６４に電源接続端子７０ｂを接続することで、大電流パルス通電時に発生する貫通型バリスタ４０の持つ抵抗成分による自己発熱を電極面から効果良く放熱させることができる。
【００５９】
すなわち、貫通型バリスタ４０の電極面が広く金属面に接触することから、熱伝導が良くなる。その結果、従来実現困難であった波尾長の長い大電流パルスにも対応が可能となる。しかも、第１電極面５２ａをノイズフィルタ部１４の筐体１２（金属製）に接触させることで、電気配線（リード線）を少なくし、インダクタンス成分を低減することができ、高周波減衰特性を向上させることができる。
【００６０】
［５］  本実施形態において、大電流パルス対応ユニット１６は、少なくとも１０ＭＨｚ〜１ＧＨｚの大電流パルス（信号）の減衰量が−８０ｄＢ以下であることが好ましい。これにより、ＭＩＬ規格に適合できるノイズフィルタ装置１０が可能となる。
【００６１】
［６］  本実施形態において、ＭＩＬ試験に規定される大電流パルス印加時に、ノイズフィルタ部１４の出力側に終端抵抗を接続したとき、終端抵抗に流れる電流は、周期が０μｓｅｃより大きく３００μｓｅｃ以下の範囲において、ピーク電流値が１０Ａ未満であることが好ましい。これにより、ＭＩＬ規格に適合できるノイズフィルタ装置１０が可能となる。
【００６２】
なお、本発明に係るノイズフィルタ装置は、上述の実施形態に限らず、本発明の要旨を逸脱することなく、種々の構成を採り得ることはもちろんである。
【００６３】
すなわち、上述の例では、貫通型バリスタ４０のバリスタ本体４２の形状を円錐台状としたが、円筒状であってもよい。また、貫通型バリスタ４０を第１仕切板２０ａに実装する場合に、径の小さい方を第１仕切板２０ａに接触させるようにしたが、径の大きい方を第１仕切板２０ａに接触させるようにしてもよい。
【符号の説明】
【００６４】
１０…ノイズフィルタ装置                  １２…筐体
１４…ノイズフィルタ部                    １６…大電流パルス対応ユニット
２０ａ〜２０ｄ…第１仕切板〜第４仕切板    ３０ａ…第１バリスタ
３０ｂ…第２バリスタ                      ３２ａ…第１チョークコイル
３２ｂ…第２チョークコイル                ３４ａ…第１コンデンサ
３４ｂ…第２コンデンサ                    ４０…貫通型バリスタ
４２…バリスタ本体                        ４２ａ…一方の端面
４２ｂ…他方の端面                        ４４…貫通孔
４６ａ…第１電極                          ４６ｂ…第２電極
５０…絶縁チューブ                        ５２ａ…第１電極面
５２ｂ…第２電極面                        ６０…締結部材
６２…ボルト                              ６４…金属板
６６…絶縁リング                          ６８…ナット
７０ａ、７０ｂ…電源接続端子
【図１】
2020127252.tif 000003
【図２】
2020127252.tif 000004
【図３】
2020127252.tif 000005
【図４】
2020127252.tif 000006
【図５】
2020127252.tif 000007
【図６】
2020127252.tif 000008
【図７】
2020127252.tif 000009